(57)【要約】【課題】本発明は、骨伝導ユニットをモダンに配設して骨伝導ユニットの位置合せを容易に行うことができる眼鏡フレーム用モダンを提供することを目的とするものである。【解決手段】テンプル４に取り付けられるモダン５を、取付基部１０、位置調整部１１及びユニット１２で構成し、取付基部１０に形成された挿入軸体３１を位置調整部１１に形成された位置調整溝に挿入し、位置調整部１１を長手方向に移動可能に取り付ける。位置調整溝には、開口部４１が穿設されており、開口部４１には湾曲部４２ａ〜４２ｃが形成され、挿入軸体３１の係合突起３２が嵌合している。そして、係合突起３２を各湾曲部に移動させることで、位置調整部１１の位置決めが行われる。ユニット部１２には、骨伝導ユニットが設けられており、位置調整部１１を移動させて骨伝導ユニットの当接位置を調整することができる。【選択図】図３
2007072015.tif 000002
【特許請求の範囲】
【請求項１】
眼鏡フレームのテンプルに嵌合する嵌合部及び耳掛け部を備えた眼鏡フレーム用モダンであって、頭部当接部分に配設された骨伝導ユニットと、骨伝導ユニットを移動させて頭部に対して位置調整する位置調整手段とを備えていることを特徴とする眼鏡フレーム用モダン。
【請求項２】
前記骨伝導ユニットは、前記耳掛け部よりも頭部前方側で頬骨に対向する位置に配設されていることを特徴とする請求項１に記載の眼鏡フレーム用モダン。
【請求項３】
前記骨伝導ユニットは、前記耳掛け部よりも頭部後方側で頭骨の乳様突起に対向する位置に配設されていることを特徴とする請求項１に記載の眼鏡フレーム用モダン。
【請求項４】
前記骨伝導ユニットを頭部に圧接する圧接手段を備えていることを特徴とする請求項１から３のいずれかに記載の眼鏡フレーム用モダン。
【請求項５】
眼鏡フレームのテンプルに取り付けられた取付基部と、前記取付基部に移動可能に取り付けられた位置調整部と、前記位置調整部に取り付けられるとともに骨伝導ユニットを有するユニット部とを備えていることを特徴とする眼鏡フレーム用モダン。
【請求項６】
前記ユニット部は、前記位置調整部に固定される台座部と、前記骨伝導ユニットを前記台座部に取り付けるバネ部とを備えていることを特徴とする請求項５に記載の眼鏡フレーム用モダン。
【請求項７】
前記ユニット部のバネ部は、一方の端部に取付台部が固定されており、前記骨伝導ユニットは、前記取付台部に着脱可能に取り付けられていることを特徴とする請求項６に記載の眼鏡フレーム用モダン。
【請求項８】
請求項１から７のいずれかに記載のモダンを備えていることを特徴とする眼鏡フレーム。
【発明の詳細な説明】
【技術分野】
【０００１】
本発明は、眼鏡フレームのテンプルに取り付けられる眼鏡フレーム用モダンであって、補聴器等の音声出力装置に用いられる骨伝導ユニットを備えたモダンに関する。
【背景技術】
【０００２】
近年音声情報のデジタル化技術が進展して補聴器、携帯電話、携帯用音楽プレイヤーといった音声機器の音質向上及びコンパクト化が図られている。一方、頭骨に振動を与えて直接聴覚器官に音声出力を行う骨伝導技術が開発されており、難聴の場合や騒音の中での音声の聴取に有効な手段として用いられている。そのため、上述した音声機器の音声出力装置として骨伝導ユニットを取り入れたものが開発されている。骨伝導ユニットを備えた音声機器は、外部に音が漏れにくいといったメリットもあり、今後有望な商品として捉えられている。
【０００３】
こうした音声機器の小型化に伴い、眼鏡フレームへ装着することが提案されている。例えば、特許文献１では、眼鏡のつる部内に骨伝導補聴器に必要な部品を配設した点が記載されている。また、特許文献２では、眼鏡の左右一対のつるにそれぞれマイクユニット及び骨伝導ユニットを取り付けた点が記載されている。また、特許文献３では、頭部を擦るようにして頭部の骨を振動させる振動子を有する骨伝導スピーカを取り付けた眼鏡が記載されている。
【特許文献１】特公昭５９−２９８４３号公報
【特許文献２】特開２００４−２０５８３９号公報
【特許文献３】特開２００５−１５１２９２号公報
【発明の開示】
【発明が解決しようとする課題】
【０００４】
上述した先行文献では、眼鏡に取り付けた骨伝導ユニットを眼鏡を装着した際に頭部に当接させて音声出力を行うようにしているが、特許文献１及び特許文献２のように眼鏡フレームのテンプルに骨伝導ユニットや電池等の部品を取り付けることはテンプルの重量が増加して装着時に負担となる。特に、テンプルの重量は、眼鏡フレームの鼻当て部及び耳当て部の両方にかかるようになり、鼻にかかる重量感があって鼻当て部がずれやすくなる。そのため、眼鏡の装着感が悪化し、現在の軽量化が進められた眼鏡にそのまま適用することは好ましくない。
【０００５】
また、特許文献３に示すように、骨伝導ユニットをコンパクト化してテンプル等に埋め込むことでそれほど重量感が増加することはない。しかしながら、人体の頭蓋骨の形状は様々であり、そのため個人によって骨伝導しやすい骨の位置が異なることから、骨伝導ユニットの位置合せを行う必要があるが、骨伝導ユニットをいったん埋め込んでしまうと、ユーザが自分で位置合せをしなければならない。場合によっては眼鏡フレームを変形したりする必要があって、眼鏡の装着感を犠牲にしなければならなくなる。ユーザに合せて骨伝導ユニットの位置を調整して埋め込むことも考えられるが、こうしたオーダーメイドの眼鏡を製造することはコスト負担が増加して現実的でない。
【０００６】
さらに、ユーザに合せて骨伝導ユニットの位置調整をしたとしても、眼鏡を装着している間に位置を変更したくなった場合には結局ユーザが眼鏡を変形するなどして位置合せを行わなければならない。
【０００７】
そこで、本発明は、骨伝導ユニットをモダンに配設して骨伝導ユニットの位置合せを容易に行うことができる眼鏡フレーム用モダンを提供することを目的とするものである。
【課題を解決するための手段】
【０００８】
本発明に係る眼鏡フレーム用モダンは、眼鏡フレームのテンプルに嵌合する嵌合部及び耳掛け部を備えた眼鏡フレーム用モダンであって、頭部当接部分に配設された骨伝導ユニットと、骨伝導ユニットを移動させて頭部に対して位置調整する位置調整手段とを備えていることを特徴とする。さらに、前記骨伝導ユニットは、前記耳掛け部よりも頭部前方側で頬骨に対向する位置に配設されていることを特徴とする。さらに、前記骨伝導ユニットは、前記耳掛け部よりも頭部後方側で頭骨の乳様突起に対向する位置に配設されていることを特徴とする。さらに、前記骨伝導ユニットを頭部に圧接する圧接手段を備えていることを特徴とする。
【０００９】
本発明に係る別の眼鏡フレーム用モダンは、眼鏡フレームのテンプルに取り付けられた取付基部と、前記取付基部に移動可能に取り付けられた位置調整部と、前記位置調整部に取り付けられるとともに骨伝導ユニットを有するユニット部とを備えていることを特徴とする。さらに、前記ユニット部は、前記位置調整部に固定される台座部と、前記骨伝導ユニットを前記台座部に取り付けるバネ部とを備えていることを特徴とする。さらに、前記ユニット部のバネ部は、一方の端部に取付台部が固定されており、前記骨伝導ユニットは、前記取付台部に着脱可能に取り付けられていることを特徴とする。
【００１０】
本発明に係る眼鏡フレームは、上記のモダンを備えていることを特徴とする。
【発明の効果】
【００１１】
本発明は、上記の構成を備えることで、眼鏡フレームのテンプルに取り付けるモダンに骨伝導ユニットを設けているので、骨伝導ユニットを取り付けたことによる重量感は耳部にかかることになり、鼻部にはほとんど加わることがなくなるので、モダンを取り付けた眼鏡フレームの装着感にほとんど影響を与えることがなくなる。また、従来の眼鏡フレームのモダンを本発明のモダンに取り替えるだけで骨伝導ユニットを取り付けることができるようになり、新品の眼鏡フレームのみならず現在使用している眼鏡にも簡単に適用することができ、ユーザが骨伝導ユニットを取り付けた新たな眼鏡を購入する必要がなくなる。
【００１２】
また、骨伝導ユニットの位置調整手段を設けることで、ユーザの骨形状に合せて骨伝導ユニットの位置合せを行うことができ、眼鏡を装着している間に位置を変更したい場合にも簡単に位置調整を行うことが可能となる。
【００１３】
そして、骨伝導ユニットを、耳掛け部よりも頭部前方側で頬骨に対向する位置に配設したり、耳掛け部よりも頭部後方側で頭骨の乳様突起に対向する位置に配設することで、骨伝導に最適な位置に骨伝導ユニットを設定することができる。人体の耳部の周辺では、骨が外方に湾曲して薄肉で骨伝導しやすい位置は、耳部の前方側の頬骨部分と後方側の乳様突起部分があり、ユーザによりいずれか骨伝導しやすい方に骨伝導ユニットを配設したモダンを用い位置調整手段によりユーザに合せて位置調整すれば、よりきめ細かく骨伝導ユニットの位置調整を行うことができる。
【００１４】
さらに、骨伝導ユニットを頭部に圧接する圧接手段を備えることで、骨伝導ユニットを安定して位置合せした骨部分に密着させることができる。
【００１５】
なお、本明細書において、モダンとは、眼鏡フレームのテンプルに取り付けられるタイプの他に、蝶番に回動可能に取り付けられたテンプル芯に挿着されるタイプや蝶番に直接取り付けられるタイプのように、いわゆる「長モダン」と称されるものを含む。
【発明を実施するための最良の形態】
【００１６】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１７】
図１は、本発明に係る実施形態を備えた眼鏡フレームに関する上面図であり、図２は、その側面図である。眼鏡フレーム１は、リム、眼鏡レンズ、鼻パッド等を備えたフロント部２の両側にテンプル４が蝶番３を介して回動可能に取り付けられており、従来公知の眼鏡フレームと同様の構成である。
【００１８】
テンプル４の先端部にはモダン５が取り付けられており、眼鏡フレーム１を装着する場合にはモダン５を両耳に掛けて装着する。図３は、モダン５の内側から見た拡大側面図である。モダン５は、テンプル４に嵌合する取付基部１０、取付基部１０に移動可能に装着される位置調整部１１及び骨伝導ユニットを備えたユニット部１２からなる。そして、位置調整部１１が下方に湾曲して形成されることで、耳掛け部として機能する。また、位置調整部１１は合成樹脂製で、その内部には金属製の芯材１３が長手方向に埋め込まれており、芯材１３を湾曲するように変形することで、ユーザの頭部形状に合せて位置調整部１１の形状を調整することができる。
【００１９】
図４及び図５は、図３に示すＡ−Ａ断面図及びＢ−Ｂ断面図である。取付基部１０は、一方の端部にテンプル４の先端部に嵌合する嵌合孔３０が長手方向に形成されており、他方の端部には長手方向に延設された挿入軸体３１が突設している。挿入軸体３１の中間部分には係合突部３２が一体形成されている。一方、位置調整部１１は、取付基部１０に対向する端部に、挿入軸体３１が挿入される位置調整溝４０が長手方向に形成されており、位置調整溝４０には、モダン５の内方側に細幅の開口部４１が長手方向に設けられている。開口部４１の両側には、３対の湾曲部４２ａ〜４２ｃが形成されており、これらの湾曲部では開口幅が円形状に拡大するようになっている。そして、開口部４１は、湾曲部４２ａから４２ｃまでの間の閉じた領域に形成されており、係合突起３２は、湾曲部４２ａから４２ｃまでの間を移動可能となっている。
【００２０】
位置調整溝４０の大きさは、挿入軸体３１とほぼ同じかわずかに大きくなるように設定されており、開口部４１の開口幅は、係合突部３２の幅よりもわずかに小さくなるように設定されている。そのため、挿入軸体３１を位置調整溝４０に挿入する場合には、係合突部３２を開口部４０に位置合せして嵌め込むように押入する。３対の湾曲部４２ａ〜４２ｃでは、開口幅が拡がっているため、係合突部３２が各湾曲部まで押し入れられると、各湾曲部で一旦保持されるようになる。したがって、取付基部１０に対して位置調整部１１を長手方向に移動させて係合突部３２を各湾曲部まで移動させれば、その位置で位置調整部１１の位置決めが行われるようになる。
【００２１】
ユニット部１２は、位置調整部１１の取付基部１０に対向する端部と反対側の端部に穿設された矩形状の取付孔４３に嵌合しており、骨伝導ユニット５０及び骨伝導ユニット５０をバネ部５２を介して支持する台座部５１からなる。そして、骨伝導ユニット５０は、バネ部５２により台座部５１から離間するように付勢されている。台座部５１には、両側に一対の係合突起５３が突設されており、係合突起５３は、取付孔４３の内壁に形成された一対の係合孔４４に嵌め込まれている。ユニット部１２を取り付ける場合には、取付孔４３の外方側から骨伝導ユニット５０を先頭に挿入して台座部５１を押し込んで係合突起５３が係合孔４４に嵌め込むようにする。ユニット部１２を外す場合は、骨伝導ユニット５０を外方に向かって押し込むことで係合孔４４から係合突起５３が外れてユニット部１２を外すことができる。したがって、ユニット部１２を必要に応じて交換することも可能で、骨伝導ユニットを使用しない場合には、ダミーの部品を嵌め込んでおくこともできる。
【００２２】
ユニット部１２は、骨伝導ユニット５０が内方側に位置するように取付孔４３に嵌合しており、頭部に当接していない状態では、骨伝導ユニット５０がバネ部５２により付勢されて位置調整部１１の外表面から突出した状態に保持されている。また、台座部５１の外表面は、位置調整部１１の外表面と面一となるように設定されている。
【００２３】
図６は、骨伝導ユニット５０の内部構造の一例を示す概略断面図である。骨伝導ユニット５０は、ケース６５内に、中心磁極６１が突設したヨーク６０が配設されており、中心磁極６１を中心にボイスコイル６２が巻回されている。ボイスコイル６２の両側にはマグネット６３がヨーク６０上に配置固定されている。そして、ヨーク６０の上部に横設固定された振動板６４の開口部にプレートヨーク６６が固定されており、プレートヨーク６６をケース６５に固定することで、ヨーク６０が底面から浮いた状態でケース６５の上面に固定される。そして、ボイスコイル６２にオーディオ信号を入力することで、振動板６４が信号に応答して振動し、ケース６５の頭部当接部６７から振動が骨に伝達されるようになる。
【００２４】
図７は、骨伝導ユニット５０の使用状態に関する説明図である。骨伝導ユニット５０には、音声出力装置７０と接続するケーブル７１が取り付けられており、ケーブル７１の接続コネクタが音声出力装置７０の接続端子に接続されている。音声出力装置７０は、アンプ等を備えており、各種装置から入力されるオーディオ信号を処理して骨伝導ユニット５０に出力する。例えば、音声出力装置７０に付属のマイク７２からオーディオ信号を入力したり、ＣＤプレイヤー、ＭＤプレイヤー、又はＭＰ３プレイヤー等のオーディオ再生装置７３を接続してオーディオ信号を入力したり、携帯電話７４等の通信機器からオーディオ信号を入力することができる。
【００２５】
図８は、以上説明した例の変形例を示す図で、図３と同様にモダン５の内側から見た側面図である。この例では、モダン５は、図３の場合と同様に取付基部１０に位置調整部１１が取り付けられているが、位置調整部１１には、取付部１４が下方に延設されており、取付部１４にユニット部１２が取り付けられている。図９は、図８のＣ−Ｃ断面図を示しており、図５に示すユニット部１２と同様のものが取付孔４３に嵌め込まれている。
【００２６】
図３及び図８で説明したように、ユニット部１２は、位置調整部１１の耳掛け部分の頭部後方側（図３）又は頭部前方側（図８）に配置することができる。図３の場合には、頭部後方側の頭骨の乳様突起に相当する領域Ｘに対向するように設定でき、ユーザが最も聞きやすい位置に位置調整部１１を移動させることで各人の乳様突起の位置や形状に合せて骨伝導ユニット５０の位置調整ができ、さらにバネ部５２により骨伝導ユニット５０が頭部に圧接されることで安定した状態で骨伝導ユニット５０を頭骨に密着させることができる。その際に位置調整部１１を芯材１３により適宜変形し位置調整すれば、よりきめ細かく調整することが可能となる。
【００２７】
また、図８のように、頭部前方側の頬骨にユニット部１２を位置させることも容易に行うことができ、この場合も位置調整部１１を取付基部１０に対して移動させることで各人の頬骨に相当する領域Ｙに対向させることができ、頬骨の位置や形状に合せてきめ細かく位置調整を行うことができる。
【００２８】
図１０は、別の変形例を示す図であり、図１１は、図１０のＤ−Ｄ断面図を示している。この例では、通常用いられている眼鏡のモダンを取り外して装着するためのモダンである。通常の眼鏡ではテンプル４に延設してテンプル芯材４ａが形成されており、テンプル芯材４ａにモダンを挿着しているが、この例では、細長い取付基部６０を挿着して取付基部６０に位置調整部６１が摺動可能に取り付けられている。
【００２９】
位置調整部６１は、筒状の部材からなり、その内周面は取付基部６０の外周面よりわずかに大きくなるように設定されており、取付基部６０に嵌合してスムーズに長手方向に移動可能とされている。また、位置調整部６１の下面には、支持部６２が垂設されている。支持部６２は、耳掛けの機能を果たすように湾曲形成されており、その下端部に上述したユニット部１２が配設されている。
【００３０】
位置調整部６１の内方側には、細幅の開口部６３が開口しており、取付基部６０の外面に長手方向に突設された３つの係合突起６５ａ〜６５ｃが摺動するようにこれらの係合突起の幅よりもわずかに小さい幅に設定されている。また、開口部６３の両側には、４対の湾曲部６４ａ〜６４ｄが形成されており、これらの湾曲部では開口幅が円形状に拡大するようになっている。湾曲部６４ａ〜６４ｄの間隔は、係合突起６５ａ〜６５ｃの間隔とほぼ一致しており、各係合突起が湾曲部に嵌合するようになっている。
【００３１】
そして、開口部６３は、湾曲部６４ａから６４ｄまでの間の閉じた領域に形成されており、係合突起６５ａ〜６５ｃは、湾曲部６４ａから６４ｄまでの間を移動可能となっている。また、取付基部６０から位置調整部６１を取り外す際に、係合突起６５ａ〜６５ｃが通り抜けが容易になるように細幅の溝６５が開口部６３の両端から位置調整部６１の両端まで形成されている。
【００３２】
取付基部６０に位置調整部６１を取り付ける場合には、取付基部６０の一方の端部から位置調整部６１を差し込み、係合突起６５ａ〜６５ｃを乗り越えて開口部６３にこれらの係合突起が嵌り込むように押し入れる。そして、各係合突起が湾曲部６４ａ〜６４ｄに嵌合することで、安定した状態に位置調整部６１が保持されるようになる。位置調整部６１を移動させたい場合には、湾曲部がそれぞれ係合突起からずれるように位置調整部６１を摺動させればよい。こうして位置調整部６１が移動することで、支持部６２のユニット部１２も連動して移動し、ユニット部１２の位置調整を行うことが可能となる。
【００３３】
図１２は、ユニット部１２の変形例を示している。この例では、骨伝導ユニット５０がユニット部１２から着脱可能となっており、台座部５１の上面に固定したコイル状バネ部５４の上端に取付台部５５が設けられている。取付台部５５の上面には、係合突起５６が突設されており、骨伝導ユニット５０の底面に設けられた係合孔５７に係合突起５６を嵌め込むことで骨伝導ユニット５０が着脱可能にユニット部に取り付けられる。骨伝導ユニット５０を着脱可能とすることで、ユーザのニーズに合せて必要のないときには骨伝導ユニットを取り外すことができるようになる。
【００３４】
図１３は、別の実施形態に関する上面図（図１３（ａ））及び側面図（図１３（ｂ））である。この例では、テンプル４に装着されるモダン５が、取付基部１００及び耳掛け部１０１を備えており、取付基部１００に穿設された位置調整開口部１０２にユニット部１０３を取り付けて長手方向（頭部の前後方向）に位置調整できるようにしている。
【００３５】
取付基部１００は、一方の端部にテンプル４が嵌合する嵌合孔１００ａが穿設されており、他方の端部には耳掛け部１０１が一体形成されている。耳掛け部１０１は、上方に湾曲して眼鏡を装着した際にユニット部１０３が頬骨に相当する領域Ｙに位置するように設定されている。
【００３６】
取付基部１００に形成された位置調整開口部１０２は、長手方向に細長い長孔にされている。図１４は、図１３のＥ−Ｅ断面図を示しており、位置調整開口部１０２には、ネジ部材１０４が嵌着されている。ネジ部材１０４の中心部は中空に形成されており、ユニット部１０３に接続されるケーブルが挿入されるようになっている。ネジ部材１０４の上部には挿入されたケーブルのガイド部１０５が立設されており、位置調整開口部１０２の上面にはつまみ部１０６が設けられている。そして、位置調整開口部１０２より下部には雄ねじ部１０７が形成されている。
【００３７】
ユニット部１０３は、上述したユニット部１２と同様に台座部１０９にバネ部１１０を介して骨伝導ユニット１１１が取り付けられており、台座部１０９の上面に突設された雌ねじ部１０８にネジ部材１０４の雄ねじ部１０７が螺合してユニット部１０３が取付基部１００に取り付けられる。
【００３８】
取付基部１００とネジ部材１０４のつまみ部１０６との間には、ワッシャ１１２が挟持されており、取付基部１００と台座部１０９の雌ねじ部１０８との間にはワッシャ１１３が挟持されている。台座部１０９は振動を吸収可能なゴム系樹脂材から形成されており、骨伝導ユニット１１１の振動が取付基部１００に伝導しないようにされている。また、骨伝導ユニット１１１の移動方向を規制するガイド板１１４を台座部１０９の外周に固定しており、骨伝導ユニット１１１が不用意にがたつかないようにされている。
【００３９】
ユニット部１０３の位置調整を行う場合には、ネジ部材１０４を緩めて取付基部１００からユニット部１０３を離間させてユニット部を移動可能な状態とした後位置調整開口部１０２内を移動させ、聞き取りの最適な位置を決めた後ネジ部材１０４を締め付けて固定する。
【００４０】
この例では、位置調整開口部１０２内を連続的に移動させてユニット部１０３を位置決めすることができ、ユーザの頬骨の位置や形状に合せてよりきめ細かく位置決めを行うことが可能となる。
【００４１】
図１５は、図１４に示したユニット部１０３の変形例を示している。この例では、骨伝導ユニット１１１がユニット部１０３から着脱可能となっており、台座部１０９の下面に固定したコイル状バネ部１１５の下端に取付台部１１６が設けられている。取付台部１１６の下面には、係合突起１１７が突設されており、骨伝導ユニット１１１の上面に設けられた係合孔１１８に係合突起１１７を嵌め込むことで骨伝導ユニット１１１が着脱可能にユニット部１０３に取り付けられる。骨伝導ユニット１１１を着脱可能とすることで、ユーザのニーズに合せて必要のないときには骨伝導ユニットを取り外すことができるようになる。
【００４２】
図１６は、別の実施形態に関する上面図（図１６（ａ））及び側面図（図１６（ｂ））である。この例では、テンプル４に装着されるモダン５が、取付基部２００、耳掛け部２０１及び保持部２０２を備えており、耳掛け部２０１及び保持部２０２が取付基部２００に対して移動可能に取り付けられている。したがって、保持部２０２が上述した位置調整部と同様の働きを行う。
【００４３】
取付基部２００は、一方の端部にテンプル４に嵌合する嵌合孔２００ａが穿設されており、他方の端部には耳掛け部２０１及び保持部２０２を挿着する位置調整孔２０５が穿設されている。位置調整孔２０５は、耳掛け部２０１及び保持部２０２の先端部分が上下に密着して挿入されるだけの開口面積に形成されている。
【００４４】
耳掛け部２０１は、上方に湾曲するような形状に形成されており、眼鏡を装着した際にユニット部２０３が頬骨に位置するように設定されている。保持部２０２は、ユニット部２０３を囲むように湾曲形成された線状部材からなり、湾曲された形状の内側にユニット部２０３を嵌め込んで固定する。線状部材は金属製で、適宜形状を変形してユニット部２０３の位置調整を行うこともできる。
【００４５】
ユニット部２０３は、上述したユニット部１０３と同様の構成を有しており、台座部が線状部材に嵌め込むように構成されている。
【００４６】
図１７は、耳掛け部２０１及び保持部２０２の取付基部２００への取付状態を内側から見た側面図である。取付基部２００に穿設された位置調整孔２０５には、内方側に複数の係合孔２０５ａ〜２０５ｄが長手方向に配列して穿設されており、耳掛け部２０１及び保持部２０２の先端部にそれぞれ突設された係合突起２０６及び２０７が係合孔２０５ａ〜２０５ｄのいずれかに嵌り込むことで長手方向の位置決めが行われるようになっている。図１８は、図１７のＦ−Ｆ断面図を示しており、取付基部２００の内部に形成された位置調整孔２０５に、耳掛け部２０１及び保持部２０２の先端部が係合孔を境に上下に配置されて挿着されている。そして、耳掛け部２０１及び保持部２０２は、内壁に密接するように挿着されているため、耳掛け部２０１及び保持部２０２は、がたつくことなく取付基部２００に挿着される。
【００４７】
また、耳掛け部２０１の係合突起２０６は、係合孔の位置に合せて下方に設けられ、保持部２０２の係合突起２０７は、係合孔の位置に合せて上方に設けられており、図１８では両方の係合突起が密接して係合孔２０５ｂに嵌合している。
【００４８】
したがって、耳掛け部２０１及び保持部２０２を取付基部２００に対してそれぞれ移動させて位置調整することができ、ユーザの耳部や頬骨の位置や形状に合せてきめ細かく調整することが可能となる。
【図面の簡単な説明】
【００４９】
【図１】本発明に係る実施形態を備えた眼鏡フレームに関する上面図である。
【図２】図１に示す眼鏡フレームに関する側面図である。
【図３】モダンの内側から見た拡大側面図である。
【図４】図３のＡ−Ａ断面図である。
【図５】図３のＢ−Ｂ断面図である。
【図６】骨伝導ユニット内部構造を示す概略断面図である。
【図７】骨伝導ユニットの使用状態を示す説明図である。
【図８】変形例に関するモダンの内側から見た拡大側面図である。
【図９】図８のＣ−Ｃ断面図である。
【図１０】別の変形例に関するモダンの内側から見た拡大側面図である。
【図１１】図１０のＤ−Ｄ断面図である。
【図１２】ユニット部の変形例に関する分解側面図である。
【図１３】本発明に係る別の実施形態を備えた眼鏡フレームに関する上面図及び側面図である。
【図１４】図１３のＥ−Ｅ断面図である。
【図１５】ユニット部の別の変形例に関する分解側面図である。
【図１６】本発明に係る別の実施形態を備えた眼鏡フレームに関する上面図及び側面図である。
【図１７】モダンの内側から見た拡大側面図である。
【図１８】図１７のＦ−Ｆ断面図である。
【符号の説明】
【００５０】
１    眼鏡フレーム
２    フロント部
３    蝶番
４    テンプル
５    モダン
【図１】
2007072015.tif 000003
【図２】
2007072015.tif 000004
【図３】
2007072015.tif 000005
【図４】
2007072015.tif 000006
【図５】
2007072015.tif 000007
【図６】
2007072015.tif 000008
【図７】
2007072015.tif 000009
【図８】
2007072015.tif 000010
【図９】
2007072015.tif 000011
【図１０】
2007072015.tif 000012
【図１１】
2007072015.tif 000013
【図１２】
2007072015.tif 000014
【図１３】
2007072015.tif 000015
【図１４】
2007072015.tif 000016
【図１５】
2007072015.tif 000017
【図１６】
2007072015.tif 000018
【図１７】
2007072015.tif 000019
【図１８】
2007072015.tif 000020